(57)【要約】【課題】複数の角形パイプを継ぎ足して長尺のガイドパイプとして使用されている場合でも、水中ミキサーの昇降時において、継ぎ目の縁部分に引っ掛かることなく、円滑に昇降させることのできる水中ミキサーの昇降補助具を提供する。【解決手段】角形ガイドパイプの前壁と摺接する前板６の左右両端部から後方へ平行に導延されて角形ガイドパイプの両側壁と摺接する左右両側板７，７の後方部に角形ガイドパイプの後壁へ係合するガイドローラ８・・８を配設してなる水中ミキサーの昇降補助具４において、該昇降補助具４の板体の上縁は左右両側板７，７の後方部から前板６の正中線方向へ向ってＶ字状に下傾する傾斜縁９Ａに形成し下縁は左右両側板７，７の後方部から前板６の正中線方向へ向って逆Ｖ字状に上傾する傾斜縁９Ｂに形成する。【選択図】        図３
2006272033.tif 000002
【特許請求の範囲】
【請求項１】
水槽内に立設された角形ガイドパイプに沿って昇降自在に支持される水中ミキサーに付設する昇降補助具であって、前記角形ガイドパイプの前壁と摺接する前板の左右両端部から後方へ平行に導延されて角形ガイドパイプの両側壁と摺接する左右両側板の後方部において角形ガイドパイプの後壁へ係合するガイドローラを配設し、該昇降補助具の板体の上縁は左右両側板の後方部から前板の正中線方向へ向ってＶ字状に下傾する傾斜縁に形成され下縁は左右両側板の後方部から前板の正中線方向へ向って逆Ｖ字状に上傾する傾斜縁に形成されていることを特徴とする、水中ミキサーの昇降補助具。
【発明の詳細な説明】
【技術分野】
【０００１】
本発明は、水中ミキサーを水槽内の所定位置に沈設して運転させる際にチェーン等で吊り降ろし、また、メンテナンス時などにチェーンを引張り水中ミキサーを水槽内から引き上げる場合に、水槽内に立設された角形ガイドパイプに沿って水中ミキサーを円滑に昇降させるため取付けられる、水中ミキサーの昇降補助具に関するものである。
【背景技術】
【０００２】
水槽内に立設された角形ガイドパイプに沿って水中ミキサーを昇降させるため、一般にスライド部材等と呼ばれ昇降補助具が水中ミキサーの後端部に付設されている。該スライド部材は、水中ミキサーの後端部に定着された前板の左右両端部から後方に角形ガイドパイプを抱持するように延びる左右両側板の各後方部に角形ガイドパイプの後壁と係合するガイドローラが付設されており、該スライド部材の板体の上縁および下縁は水平縁に形成されている(例えば、特許文献１参照。）。
【０００３】
一方、角形ガイドパイプの有する問題点として、水中ミキサー運転時の水流による反力荷重を受けるため、特に水深の深い水槽内に立設される長い角形ガイドパイプは、一本の長い形材を使用して角形ガイドパイプを構成すれば、前記反力荷重の影響を強く受けて撓みを生じることになる。従って、長い角形ガイドパイプを構成する場合は、撓みを生じ難いように、複数本の短い角形パイプを、中間ブラケットの挿入により継ぎ合せて所要の長さとするほか、各継ぎ目には溶接を施すこともある。このようにして、角形パイプの周側には継ぎ目の段差または溶接ビートの出っ張りが水平に形成されることになる。
【０００４】
しかし、前述のように、スライド部材の板体の上縁および下縁が水平縁に形成されているため、該水平縁が水中ミキサーの昇降時において角形ガイドパイプの周側に水平に形成された前記継ぎ目の縁部または溶接ビートの出っ張り部分へ横線状に引っ掛かることになり、水中ミキサーの円滑な昇降作動を著しく阻害することになる。
【０００５】
【特許文献１】特開２００２−３６１０６２号公報  （第１図）
【発明の開示】
【発明が解決しようとする課題】
【０００６】
解決しようとする課題は、水槽内の水深が深く、複数の角形パイプを継ぎ足して長尺のガイドパイプとして使用されている場合でも、水中ミキサーの昇降時において、各角形パイプ同士の継ぎ目の縁部や、溶接仕上げ後の溶接ビートの出っ張り部分に引っ掛かることなく、円滑に昇降させることのできる水中ミキサーの昇降補助具を提供することである。
【課題を解決するための手段】
【０００７】
本発明では、昇降補助具の板体の上縁が左右両側板の後方部から前板の正中線方向へ向ってＶ字状に下傾する傾斜縁に形成され下縁が左右両側板の後方部から前板の正中線方向へ向って逆Ｖ字状に上傾する傾斜縁に形成されていることを最も主要な特徴とする。
【発明の効果】
【０００８】
本発明によれば、昇降補助具を構成する板体の上縁および下縁が傾斜状に形成されているので、水槽内の水深が深く、複数の角形パイプを継ぎ足して長尺のガイドパイプとして使用されている場合でも、水中ミキサーの昇降時において板体の上縁および下縁が、各角形パイプ同士の継ぎ目に生じる段差や、溶接ビートの出っ張り部分とは斜交状に対向する点接触状態となるため、該継ぎ目の段差部分や溶接ビートの出っ張り部の通過性が極めて良好となり、水中ミキサーを円滑に昇降させることができるという利点がある。
【発明を実施するための最良の形態】
【０００９】
水槽内に立設された角形ガイドパイプに沿って昇降自在にに支持される水中ミキサーに付設する昇降補助具において、前記角形ガイドパイプの前壁と摺接する前板の左右両端部から後方へ平行に導延されて角形ガイドパイプの両側壁と摺接する左右両側板の後方部において角形ガイドパイプの後壁へ係合するガイドローラを配設し、該昇降補助具の板体の上縁は左右両側板の後方部から前板の正中線方向へ向ってＶ字状に下傾する傾斜縁に形成され下縁は左右両側板の後方部から前板の正中線方向へ向って逆Ｖ字状に上傾する傾斜縁に形成されている。
【実施例１】
【００１０】
実施例の図面において、１は水槽内に立設された角形ガイドパイプであり、複数本の角形パイプを継ぎ合せて所要の長さに構成されている。２は角形パイプの継ぎ目、３は溶接ビートである。４は水中ミキサー５の後端面に付設される昇降補助具であり、前記角形ガイドパイプ１の前壁と摺接する前板６の左右両端部から後方へ平行に導延された左右両側板７，７の内側面が角形ガイドパイプ１の両側壁と摺接する。８・・８はガイドローラであり、角形ガイドパイプ１の後壁へ係合するよう左右両側板７，７の後方部に配設されている。また、昇降補助具４の板体の上縁は左右両側板７，７の後方部から前板６の正中線方向へ向ってＶ字状に下傾する傾斜縁９Ａに形成され、下縁は左右両側板７，７の後方部から前板６の正中線方向へ向って逆Ｖ字状に上傾する傾斜縁９Ｂに形成されている。
【００１１】
水中ミキサー５の下降時には、昇降補助具４を構成する板体下縁の逆Ｖ字状傾斜縁９Ｂが、角形ガイドパイプ１に形成されている継ぎ目２に生じている段差や、溶接ビート３の出っ張り部分と斜交状に対向する点接触状態により、該継ぎ目２の段差部分や溶接ビート３の出っ張り部分を極めて容易に通過して、水中ミキサー５は水槽内の所定位置に沈設されることになる。また、水中ミキサー５の上昇時には、昇降補助具４を構成する板体上縁のＶ字状傾斜縁９Ａが、前記継ぎ目２に生じている段差や、溶接ビート３の出っ張り部分と斜交状に対向する点接触状態により、該継ぎ目２の段差部分や溶接ビート３の出っ張り部分を極めて容易に通過して、水中ミキサー５は水槽内から引き上げられることになる。
【図面の簡単な説明】
【００１２】
【図１】本発明昇降補助具の付設した水中ミキサーの側面図である。
【図２】本発明昇降補助具の側面図である。
【図３】本発明昇降補助具の背面図である。
【図４】本発明昇降補助具の平面図である。
【図５】本発明昇降補助具を構成する板体の展開図である。
【図６】本発明昇降補助具が角形ガイドパイプの継ぎ目部を通過する状態を示す説明図である。
【符号の説明】
【００１３】
１      角形ガイドパイプ
４      昇降補助具
５      水中ミキサー
６      前板
７      側板
８      ガイドローラ
９Ａ    Ｖ字状に下傾する傾斜縁
９Ｂ    逆Ｖ字状に上傾する傾斜縁
【図１】
2006272033.tif 000003
【図２】
2006272033.tif 000004
【図３】
2006272033.tif 000005
【図４】
2006272033.tif 000006
【図５】
2006272033.tif 000007
【図６】
2006272033.tif 000008